(57)【要約】  マッサージ作用及び皮膚加熱による刺激を適用することで、皮膚線条によって形成された染みを処置することが可能な装置が記載されている。
2009527294.tif 000002
【特許請求の範囲】
【請求項１】
処置される肌表面の血管新生と肌内部の温度の上昇とを同時に行うことが可能である、肌の染みを処置するための装置。
【請求項２】
電極（１６）よりなる鐘状ハンドピース（１１）と、
参照ハンドピース（１２）と、
吸引発生装置（１３）と、
容量システム発生装置（１４）と、
前記２つのシステムを管理及び調整するための論理ユニット（１５）と、
からなることを特徴とする請求項１に記載の装置（１０）。
【請求項３】
前記鐘状ハンドピース（１１）は、空気圧ケーブル（１）に結合された、内部で吸引がなされる、基本的に鐘形状をした中空の構造体（１７）と、容量システム（１４）に電極（１６）を結合させる電気線（２０）とからなっており、前記空気圧ケーブルは鐘状部を吸引発生システム（１３）に結合させることを特徴とする請求項２に記載の装置。
【請求項４】
前記空気圧ケーブル（１９）及び電気線（２０）は、適切な中空の導線管（１８）のなかに包含されていることを特徴とする請求項３に記載の装置。
【請求項５】
前記電極（１６）は、処置を受ける肌と接触することが可能な位置に配置されていることを特徴とする請求項２から４のいずれかに記載の装置。
【請求項６】
前記吸引発生装置（１３）は、ソレノイド弁のバッテリーに作用する鐘状部における（よって、実際は処置を受ける部分に適用されている）実際の吸引レベルを読みとる及び調整するためのセンサに好ましくはさらに結合されている容器に結合されている吸引ポンプよりなることを特徴とする請求項５に記載の装置。
【請求項７】
容量システムは、電気線（２０）の手段によって電極（１６）に、及び第２の電気線（２２）の手段によって、参照ハンドピース（１２）からなる第２の電極に結合されている交流電源から構成される電気回路からなることを特徴とする請求項６に記載の装置。
【請求項８】
前記参照ハンドピース（１２）はロッドであり、人間工学にしたがう形状をしており、導電材料から構成されていることを特徴とする請求項７に記載の装置。
【請求項９】
前記電極（１６）は、肌組織と接触する誘電材料（２２）に覆われた内部導電性部材（２１）であることを特徴とする請求項１から８のいずれかに記載の装置。
【請求項１０】
容量装置（１４）によって電力を供給されている電極（１６）は、約３９℃まで皮膚の温度を上昇させることが可能であることを特徴とする請求項１から９のいずれかに記載の装置。
【請求項１１】
前記論理ユニットは、全ての動力部、すなわち吸引発生部及び容量効果発生部を管理することが可能なマイクロプロセッサを収容することができるように作られたプリント回路であり、及び該論理ユニットには、装置の全ての機能を見るためのディスプレイと、装置及びその全ての機能を管理するためのキーボードとが設けられていることを特徴とする請求項２から１０のいずれかに記載の装置。
【請求項１２】
前記論理ユニットには、一定の時間後に自動的にスイッチを切ることが可能なタイマーが設けられていることを特徴とする請求項１１に記載の装置。
【請求項１３】
吸引、熱効果又はそれら２つの機能を同時に作動させることが可能なセレクタ、及び／又は、肌の微小循環に対して適切なポンプ動作を決定することができるように、高い値と低い値とを切り替えて吸引レベルを設定することが可能なセレクタが設けられていることを特徴とする請求項１から１２のいずれかに記載の装置。
【請求項１４】
吸引発生装置（１３）、容量システム発生装置（１４）及び論理ユニット（１５）は適切な構造体に収容されており、該構造体からは、可能ならば線（１８）の中に包含されている、装置の電源線、空気圧ケーブル（１９）及び電気線（２０）が出ており、該電源線、該空気圧ケーブル及び該電気線はそれぞれ、吸引発生システム及び容量装置を、ハンドピース（１１）かつそれぞれの電極に、及び参照ハンドピース（１２）に結合された電気線（２２）に結合することを特徴とする請求項２から１３のいずれかに記載の装置。
【請求項１５】
肌の染みを美容的に処置する方法であって、
−処置のために求められる値が設定され、及び装置が駆動される工程と、
−道具が肌の染み上を直接触れて通過し、組織が赤くなるまで同じ箇所を何度も移動する工程と、
−前記適用が適切と見なされる時間の間繰り返される工程と、
を有することを特徴とする前記方法。
【発明の詳細な説明】
【技術分野】
【０００１】
本発明は、肌の染みを処置するための装置及びその方法の分野に関する。
【背景技術】
【０００２】
線条は一般的に肌の急激な寸法変化の結果生じるものであり、そのような変化は、例えば、妊娠期間における腹部の重量の増加又は伸張や、授乳期間における胸の肥大による高伸張によって引き起こされる。実際、そのような重量の増加は、線条として現れる特有の裂け目、すなわち細長い溝のような形状をした特有の皮膚損傷が肌に生じる原因であり、その部分の肌はしだいにくすんで硬くなり活力を失い、徐々に周辺組織と明らかに異なるようになる。
【０００３】
線条の形成を改善するために適用される美容法は、確かな効果を得るための様々なタイプの療法から構成されており、例えば次のようなものがある。
−肌のより良い弾性力を得る及び／又は肌の微小循環を改善することを目的として、肌の線条の周囲組織に作用する美容製品を適用すること。
−角質層の厚さを減少させるように働く、ピーリング製品を適用すること。
−前述したような効果を得るため、製品がより高い確率で我々の肌の生理学的な障壁を越えることができるようにより高い電圧で直流電流を供給すること（イオノフォレシス（ｉｏｎｏｐｈｏｒｅｓｉｓ））によって、美容製品及び薬剤を運ぶこと。
−周辺肌組織をより厚く強固で硬くしている、線条の外側部分を覆っている角質層の細胞の一部を除去するために、機械的道具を用いて研磨処置をすること。
−コランダム結晶の粒子又は線条に直接作用する他の研磨材料を用いた研磨処置、したがって角質層の一部を除去すること。
−線条の影響とそれによる視覚的及び美的影響を隠すことが可能な表面化粧を適用すること。
【発明の開示】
【発明が解決しようとする課題】
【０００４】
前述の技法は全て染み自体が有する性質によって、共通の限界を有している。肌の線条とは結果的に表面硬化に帰結する組織の変性であるから、肌の弾力性及び血管新生を向上させることを目的とする美容製品の適用が組織のひどい硬化によって阻害され、よって、それら美容製品が角質層によって形成された障壁を正確に越すことも結果としてさらに難しくなる。ここで、前記角質層の緊密性及び密度の高さは、美容製品自体をさらに深くまで正確に“押す”ためにかけられる直流（イオノフォレシス）を適用することによって補助されることが可能なときの、美容製品の肌への正確な取り込みに対する障害及び妨害の大きさと比例している。
【０００５】
実際、研磨又はピーリング処置の適用、すなわち機械的道具又はコランダム結晶の粒子又は他の機械若しくは研磨材を使用する美容製品又はその適用は、角質層の厚さを減少させることができるのであるが、しかし、特にコランダム結晶の適用においては過度の研磨がなされてしまう危険が存在するし、また、自然の細胞核生成がなくても角質層は生理学的にいってそのうち徐々に厚くなるものであるから、角質層の厚さを減少させたところで、それは一時的な処置にすぎない。
【０００６】
すなわち、線条を隠すことができる製品の適用は、一時的でかつ形ばかりの構造的ではない結果を生むだけである。
【０００７】
したがって、前述した全ての方法は、肌の線条の周辺の組織又はそれを覆う角質層に直接作用するものであり、それは、線条の形成から生じた染みを不完全又は一時的に減少させることができるにすぎないのである。
【課題を解決するための手段】
【０００８】
よって、興味は明らかに、線条に関する美的問題に首尾良く取り組むことが可能な装置にまつわる前述の限界を除去することができるかどうかという点にある。肌の線条による染みの問題の解決は、以下の３つの点で特徴づけられる。
−線条の周辺組織における弾性力及び微小循環の機能性を改善すること。
−約３９℃、すなわち生理学的温度より２℃以上高い温度に到達するために、肌の線条の周辺組織の温度を上昇させること。
−血管新生を増大させるための作用と皮膚温度の上昇とを組み合わせることによって、代謝活動を活性化させることに寄与すること。
【０００９】
本発明は、処置されるべき肌表面の血管新生と肌の温度上昇とを同時に行うことが可能な、肌の染みの処置のための装置に関する。
【発明を実施するための最良の形態】
【００１０】
本発明は、線条の周辺組織を上昇させて徐々に線条を埋めることが可能なように、すなわち有糸分裂の増大によって生じる新しい細胞の活動サイクルの結果である漸進的な安定化を可能とするように、肌表面の血管新生と肌の領域における温度上昇とを組み合わせた効果を引き出すことができる装置によって、前述の問題を解決することが可能である。
【００１１】
図１に示されているように、本発明にしたがう装置１０は、
−鐘状（ｂｅｌｌ）ハンドピース１１、
−参照用ハンドピース１２、
−吸引発生装置１３、
−容量システム発生装置（ｃａｐａｃｉｔｉｖｅ  ｓｙｓｔｅｍ  ｇｅｎｅｒａｔｉｎｇ  ａｐｐａｒａｔｕｓ）１４、
−上記２つのシステムを管理及び調整するための論理ユニット１５、
−電極１６（アクティブハンドピース１１に含まれている）、
を有している。
【００１２】
図２に示されているように、（アクティブ）鐘状ハンドピース１１は、中空の基本的に鐘形状をした構造体１７からなっており、この構造体の内部において吸引が生み出される。そして、前記構造体には、鐘状部を吸引発生システム１３に結合させる空気圧ケーブル１９と、電極１６（後述）を容量システム１４に結合させる電気線２０とが結合されており、好ましくは、前記空気圧ケーブル１９及び前記電気線２０は、適切な中空の電線管１８に収容されている。
【００１３】
鐘状構造体１７は、容量効果、すなわち接触するものを加熱することが可能な電極１６をさらに有している。
【００１４】
前記電極１６は、好ましくは鐘状部１７の中央において、処置される肌と接触することが可能な場所に配置されている。
【００１５】
吸引発生装置１３は、好ましくは容器に接続されている吸引ポンプからなり、そして、前記容器は、ソレノイド弁のバッテリーに作用する鐘状部の内部における（したがって、実際には処置される部分に適用される）実際の吸引レベルを読みとる及び調節するためのセンサとも好ましくは結合されており、前記ソレノイド弁によって使用時の要求に比例する吸引の損失を決定する。
【００１６】
エアフィルタは通常、ソレノイド弁の前記バッテリーの下流、及び、したがって処置される場所にある肌に直接適用されるアクティブハンドピース１１との空気圧ケーブル１９の手段による結合の下流に配置されている。
【００１７】
容量システムは、電気線２０の手段によって電極１６に結合されており、かつ第２の電気線２２の手段によって参照ハンドピース１２からなる第２の電極に結合されている、交流電源からなる電気回路から構成されている。
【００１８】
そのシステムは、処置を受けている使用者が参照ハンドピース１２を握る間、電極１６を通して肌に適用される高周波の交流電流を生じさせることができる。
【００１９】
前記参照ハンドピース１２は通常、導電材料からなる人間工学に基づいた形状をしたロッドである。
【００２０】
上記の方法で容量システム供給回路１３と結合している電極１６は、１つの内部導電部２１を有しており、その導電部は肌組織と直接接触する誘電材料２２に覆われている。
【００２１】
理解されるように、電極１６と参照ハンドピース１２は、処置される組織が電極２２の隔離コーティングとして誘電性を形成するコンデンサのプレートとして働く。電流が供給されるとき、熱を生み出すように等しく素早く方向を変化する電場を処置される組織の内部で決定する素早い電荷の入れ替えが、誘電コートされた電極においてなされる。
【００２２】
好ましくは、皮膚の温度は約３９℃まで上昇する。
【００２３】
本発明にしたがう論理ユニットは、全ての電源部材、すなわち吸引発生部及び容量効果発生部を管理することができるマイクロプロセッサを調節することができるように作られたプリント回路から構成されており、装置の全ての機能を見ることができるスクリーン又はディスプレイと、装置及び全てのその機能を管理するためのキーボードと、予め決められた時間の終わりになったら電源部材のスイッチを自動的に切るためのタイマーとが設けられている。
【００２４】
本発明にしたがうと、線条の異なる外延及び伸張又は実践的及び機能的面に関連して、鐘状ハンドピース１１は様々な寸法を有しており、及び、容量（すなわち、熱）効果を発生させるための電極は異なる寸法を有し、様々な性質の誘電材でコーティングされている。
【００２５】
前述したように、本発明の特定の実施形態にしたがうと、装置は処置される部分に適用される吸引のレベルと容量エネルギー伝達レベルの両方を調整することが可能であり、したがって、実際、皮膚及び下皮の加熱レベルも調節することができる。
【００２６】
好ましくは、装置には、ある一定時間がたったら自動的にスイッチが切れるように適用されたタイマーが設けられていてもよい。
【００２７】
もし必要であれば、装置は、吸引、熱効果又はそれら２つの機能を同時に作動することが可能なセレクタ、及び／又は、肌の微小循環に関して適切なポンプ作用を決定できるように、可能ならばより高い値か低い値かを変更して吸引レベルを設定することができるセレクタを有していてよい。
【００２８】
装置は、様々な前述の部材を結合するために必要な及び電源（メイン、バッテリー等）に結合するたに必要な電気回路を当然有している。
【００２９】
通常、吸引発生装置１３、容量システム発生装置１４及び論理ユニット１５は、適切な構造体に収容されており、該構造体から装置の電源線、空気圧ケーブル１９及び電気線２０（可能ならば中空部材１８に包含されている）が出ており、それらの部材はそれぞれ吸引発生システム及び容量システムを各々の電極及び参照ハンドピースにつながれた電気線２２に結合している。
【００３０】
また、本発明にしたがう装置には、処置及びそれによって求められる供給源のための、一揃いの及び／又は選択された値を示すために必要なシステムが設けられている。
【００３１】
さらに、必要に応じて、本発明にしたがう装置には、美容処置の効果を向上させることが可能な、本質的に知られている適切な補助的装置が設けられてもよい。
【００３２】
そのような補助的装置としては、例えば次のようなものがある。
−不純物を抑えるためのフィルタが可能ならば設けられた空気圧ケーブルの手段によって吸引ポンプに結合されている、効果的なピーリングを実行することができる研磨表面が設けられた部材。
−剛毛のブラシ又は効果的なピーリングを実行するために適用される他の材料を回転させることが可能なマイクロモータが設けられたハンドピース。このハンドピースは、２極電気線の手段によって、機械体部の中にある電流発生器に結合される。
−非包括的な例の方法によるものや、直流や、方形波、正弦波、三角波の手段による刺激によるものや、半波長波の手段による刺激によるものや、２極電気線の手段によるものを含む、様々なタイプのパルスを供給するように電流発生器に結合されているハンドピース。このハンドピースによって、皮膚における血液及びリンパ液の微小循環に対してポンプ効果を及ぼすことができる。
−熱を生むための抵抗器若しくは赤外線発生器、又は加熱又は冷却を組み合わせて管理するための若しくは２極線の手段によって機械体部に配置された電流発生器に結合された冷却のみを発生させるためのペルチェセル（Ｐｅｌｔｉｅｒ  ｃｅｌｌｓ）を適用することによる、加熱／冷却を生じさせるのための様々な形状及び寸法を有するプレート。
−適切な線の手段、好ましくはＲＧ５８又は同様のタイプで遮蔽されている線によって高周波発生器に結合されている、代謝をより再活性させるのに適した、処置される組織を加熱するための様々な形状を有するハンドピース又はプレート。
−相乗処置活性物質（ｓｙｎｅｒｇｅｔｉｃ  ｔｒｅａｔｍｅｎｔ  ａｃｔｉｖｅ  ｓｕｂｓｔａｎｃｅｓ）を届けること、及び適切な線の手段、好ましくはＲＧ５８又は同様のタイプで遮蔽されている線によって超音波発生器に結合されている肌の血液及びリンパ液に対してポンプ作用を及ぼすことを目的とした、様々な形状を有するプレートのハンドピース。
−処置される領域に血液及びリンパ液を引きつけることができるように肌に吸引効果を与える、不純物を抑えるためのフィルタが可能ならば設けられた、空気圧ケーブルを備えた装置に存在する吸引ポンプに結合されている、様々な形状を有する可換ハンドピース。
【００３３】
本発明にしたがう装置の使用法は明らかである。
【００３４】
処置のために必要とされかつ装置を駆動させる値を設定した後、その道具は線条の上を直接通過し、組織が赤くなるまで同じ箇所を繰り返し移動する。時間が進むと、２つの作用が同時に生じる。すなわち、肌組織の血管新生の増大及び皮内温度の上昇が生じるのであり、これによって次の利益を得ることができる。
−線条の形成は角質層をより厚くする原因であり、角質層はその厚さに比例して生理学的な肌における蒸発（ｔｒａｎｓｐｉｒａｔｉｏｎ）を妨げるので、これによって細胞の栄養摂取に重大な寄与をしている酸素の量が線条において著しく減少している。よって、線条下の組織の直接的な内部分において、高品質の酸素を有する血流を増大させる。  
−約３９℃に到達するために組織の内部温度を上昇させる。この温度になると、ファント・ホッフの法則によると細胞の有糸分裂現象が３倍まで増加する。有糸分裂を増加させるために必要な酸素の量がおよそ存在しない場合を除いて、上昇した温度と高温の血流の組み合わせは基本的に残り続ける。
−処置された肌組織の内部に存在する血管及びリンパ管の容量がより大きくなるために、及び増加した有糸分裂から得られる新しい細胞の存在によって、線条の下の組織が埋まる。
−リンパ管の容量が増大し、処置された組織の内部において液体の流れを増大させることが可能となる。これによって肌の湿潤が増す。
−細胞の再生成が高くなることと、組織の有糸分裂及び湿潤が増大することとによる効果は、線条に影響を受けている組織の典型的な硬さ及び剛性を減少させるのに寄与している組織それ自体の弾力性を、徐々に増加させることができる。
−処置を繰り返して適用することにより、合理的に長い時間にわたって得られた結果を安定化させることができる。この結果は、組織のより優れた血管新生の高安定化、結果として生じる酸素供給、及び肌の湿潤かつ漸進的で顕著な細胞の再生成によるものである。
−熱効果の組み合わせはさらに、リンパ管の微小循環のより高い流動性を可能とする。これに比例して、通常は周辺組織よりもくすんでいる線条それ自体の肌色によって明らかな、線条によって影響を受ける組織に一般的に豊富にある毒素及び細胞内部の空間に存在する廃棄物の再吸収の能力が増大する。
【００３５】
本装置は非常に簡単に使用することが可能であり、特殊で専門的な及び／又は訓練を受けた人員の介入を必要としないことは重要な点である。    
【図面の簡単な説明】
【００３６】
【図１】本発明にしたがう装置の概略図を示している。
【図２】電極をそれぞれ備えた図１に示されている鐘状ハンドピースの特定の実施形態を示している。
【符号の説明】
【００３７】
１０  装置
１１  鐘状ハンドピース
１２  参照ハンドピース
１３  吸引発生装置
１４  容量システム発生装置
１５  論理ユニット
１６  電極
１７  ベル形状の構造体
１８  電線管
１９  空気圧ケーブル
２０  電気線
２１  導電部
２２  第２の電気線
【図１】
2009527294.tif 000003
【図２】
2009527294.tif 000004
【手続補正書】
【提出日】平成20年1月18日(2008.1.18)
【手続補正１】
【補正対象書類名】特許請求の範囲
【補正対象項目名】全文
【補正方法】変更
【補正の内容】
【特許請求の範囲】
【請求項１】
処置される肌表面の血管新生と肌内部の温度の上昇とを同時に行うことが可能である、肌の染みを処置するための装置であって、
容量装置（１４）によって電力を供給されている電極（１６）よりなる鐘状ハンドピース（１１）と、
参照ハンドピース（１２）と、
吸引発生装置（１３）と、
容量システム発生装置（１４）と、
前記２つのシステムを管理及び調整するための論理ユニット（１５）と、
からなることを特徴とする前記装置。
【請求項２】
前記鐘状ハンドピース（１１）は、空気圧ケーブル（１）に結合された、内部で吸引がなされる、基本的に鐘形状をした中空の構造体（１７）と、容量システム（１４）に電極（１６）を結合させる電気線（２０）とからなっており、前記空気圧ケーブルは鐘状部を吸引発生システム（１３）に結合させることを特徴とする請求項１に記載の装置。
【請求項３】
前記空気圧ケーブル（１９）及び電気線（２０）は、適切な中空の導線管（１８）のなかに包含されていることを特徴とする請求項２に記載の装置。
【請求項４】
前記電極（１６）は、処置を受ける肌と接触することが可能な位置に配置されていることを特徴とする請求項１から３のいずれかに記載の装置。
【請求項５】
前記吸引発生装置（１３）は、ソレノイド弁のバッテリーに作用する鐘状部における（よって、実際は処置を受ける部分に適用されている）実際の吸引レベルを読みとる及び調整するためのセンサに好ましくはさらに結合されている容器に結合されている吸引ポンプよりなることを特徴とする請求項４に記載の装置。
【請求項６】
容量システムは、電気線（２０）の手段によって電極（１６）に、及び第２の電気線（２２）の手段によって、参照ハンドピース（１２）からなる第２の電極に結合されている交流電源から構成される電気回路からなることを特徴とする請求項５に記載の装置。
【請求項７】
前記参照ハンドピース（１２）はロッドであり、人間工学にしたがう形状をしており、導電材料から構成されていることを特徴とする請求項６に記載の装置。
【請求項８】
前記電極（１６）は、肌組織と接触する誘電材料（２２）に覆われた内部導電性部材（２１）であることを特徴とする請求項１から７のいずれかに記載の装置。
【請求項９】
電極（１６）は、約３９℃まで皮膚の温度を上昇させることが可能であることを特徴とする請求項１から８のいずれかに記載の装置。
【請求項１０】
前記論理ユニットは、全ての動力部、すなわち吸引発生部及び容量効果発生部を管理することが可能なマイクロプロセッサを収容することができるように作られたプリント回路であり、及び該論理ユニットには、装置の全ての機能を見るためのディスプレイと、装置及びその全ての機能を管理するためのキーボードとが設けられていることを特徴とする請求項１から９のいずれかに記載の装置。
【請求項１１】
前記論理ユニットには、一定の時間後に自動的にスイッチを切ることが可能なタイマーが設けられていることを特徴とする請求項１０に記載の装置。
【請求項１２】
吸引、熱効果又はそれら２つの機能を同時に作動させることが可能なセレクタ、及び／又は、肌の微小循環に対して適切なポンプ動作を決定することができるように、高い値と低い値とを切り替えて吸引レベルを設定することが可能なセレクタが設けられていることを特徴とする請求項１から１１のいずれかに記載の装置。
【請求項１３】
吸引発生装置（１３）、容量システム発生装置（１４）及び論理ユニット（１５）は適切な構造体に収容されており、該構造体からは、可能ならば線（１８）の中に包含されている、装置の電源線、空気圧ケーブル（１９）及び電気線（２０）が出ており、該電源線、該空気圧ケーブル及び該電気線はそれぞれ、吸引発生システム及び容量装置を、ハンドピース（１１）かつそれぞれの電極に、及び参照ハンドピース（１２）に結合された電気線（２２）に結合することを特徴とする請求項１から１２のいずれかに記載の装置。
【請求項１４】
肌の染みを美容的に処置する方法であって、
−処置のために求められる値が設定され、及び装置が駆動される工程と、
−道具が肌の染み上を直接触れて通過し、組織が赤くなるまで同じ箇所を何度も移動する工程と、
−前記適用が適切と見なされる時間の間繰り返される工程と、
を有することを特徴とする前記方法。
【国際調査報告】
2009527294.tif 000005
2009527294.tif 000006
2009527294.tif 000007
2009527294.tif 000008